(57)【要約】本発明はクリップ型の上衣はみ出し防止装置に関するもので、より詳しくは上側クリップ部と下側クリップ部の間にズボンが固定されて、上側クリップ部と装飾蓋部の間にベルトが固定されると同時に、固定部によって上衣の下端を固定して下衣の外側に上衣の下端が露出されないようにするクリップ型の上衣はみ出し防止装置に関するものである。  本発明を通じて上衣固定部とクリップ部と装飾蓋部とで構成され、上衣固定部は上衣の下端に固定されて、クリップ部はズボンが固定され、装飾蓋部とクリップの間にベルトが固定され、下衣の外側に上衣の下端が露出されないようにすることで、着こなしをよくして楽に着ることができる効果を提供する。
2015503039.tif 000002
【特許請求の範囲】
【請求項１】
クリップ型の上衣はみ出し防止装置において、
上衣（１０）に密着し、上衣がはみ出すことを防止する上衣固定面材（１１０）と、上衣固定面材といずれか一面が接合され、他の面が下側クリップと接合され、人体に沿うように変形が可能な弾性材質で形成される弾性体面材（１２０）とを含んで構成される上衣固定部（１００）と、
上側クリップに形成されたクリップ突出部が挿入されるクリップホール（２１１）が各々形成された一対の支持片（２１２）が形成され、先端部分が曲がるように形成されている下側クリップ部（２１０）と、前記クリップホールに挿入されるように折曲形成されているクリップ突出部（２２１）が設けられ、装飾蓋部に形成された蓋部突出部が挿入される蓋部ホール（２２２）が一端側に各々形成される一方、先端部分が曲がるように形成されている上側クリップ部（２２０）とを含んで構成されるクリップ部（２００）と、
前記上側クリップ部の蓋部ホールに挿入されるよう両側に形成された蓋部突出部（３１０）と、外面に模様が刻まれている模様面材（３３０）と、前記模様面材に続いて折曲形成されている折曲面材（３２０）とを含んで構成される装飾蓋部（３００）とを含んで構成されることを特徴とするクリップ型の上衣はみ出し防止装置。
【請求項２】
請求項１において、
前記上衣固定部には、前記装飾蓋部が連結されているクリップ部が少なくとも２つ以上、設置されていることを特徴とするクリップ型の上衣はみ出し防止装置。
【請求項３】
請求項１において、
前記下側クリップ部（２１０）と上側クリップ部（２２０）の間には、ズボン（２０）の一部が挿入されることを特徴とするクリップ型の上衣はみ出し防止装置。
【請求項４】
請求項１において、
前記装飾蓋部（３００）は、逆L字形状を有していて、内部にベルト（３０）が挿入されることを特徴とするクリップ型の上衣はみ出し防止装置。
【請求項５】
請求項１において、
前記装飾蓋部（３００）の、前記模様面材（３３０）と前記折曲面材（３２０）の間の角度（Ａ）が９０度から１００度の間で形成され、
ベルト（３０）が前記模様面材と前記上側クリップ部の間に挿入された後に模様面材が押されると、前記折曲面材が前記下側クリップ部の上面に接触しながら上側に移動して、前記上側クリップ部と前記下側クリップ部の間に挿入されたズボンが固定されると同時に、前記上側クリップ部と前記装飾蓋部の間に挿入されたベルト（３０）が固定されることを特徴とするクリップ型の上衣はみ出し防止装置。
【請求項６】
請求項１において、
前記クリップ型の上衣はみ出し防止装置は、上衣の下端に少なくとも１つ以上設けられることを特徴とするクリップ型の上衣はみ出し防止装置。
【請求項７】
請求項１において、
前記上衣固定面材（１１０）は、ゴム材質で形成されることを特徴とするクリップ型の上衣はみ出し防止装置。
【発明の詳細な説明】
【技術分野】
【０００１】
本発明は、クリップ型の上衣はみ出し防止装置に関するもので、より詳しくは上側クリップ部と下側クリップ部との間にズボンが固定され、上側クリップ部と装飾蓋部との間にベルトが固定されると同時に、固定部によって上衣の下端を固定して下衣の外に上衣の下端が露出されないようにするクリップ型の上衣はみ出し防止装置に関するものである。
【背景技術】
【０００２】
大多数の男性や女性は、正装に似合うワイシャツやブラウス、つまり、ドレスシャツ形態の上衣を着ている。
【０００３】
前記ワイシャツやブラウスは形も端正で、洋服を合わせて着ると正装として、洗練美もあり、主にホワイトカラーのサラリーマンが好んで着ている。
【０００４】
しかし、前記ドレスシャツやブラウスを着る際に、人が座ったり立ったりを繰り返すと自然にワイシャツの横の部分がベルトラインの外側にはみ出ることが起きるが、これを解決しようとしてズボンやスカートの内側にはシリコン素材のテーピング処理が施されている技術が先行されているが、人が活動をしていると結局、はみ出て頻繁にズボンやスカートの内部に上衣を入れ直さないといけない問題点があった。
【０００５】
前記のような問題点を解決するために防止具の重力でドレスシャツやTシャツが固定され、ドレスシャツやTシャツの裾がズボンやスカートのベルトラインの外側にはみ出さないようにする上衣はみ出し防止具を公開特許2008-39365号に開示している。
【０００６】
しかし、前記の技術はいくつかの重量体を上衣に固定するようになるため、動きに相当な制約があり、重力を利用しなければならず、重量体の重さを重くしなければならない。
【０００７】
このため、軽い重さの重量体を設置固定するようになると上衣がはみ出し得る問題点は依然として存在することになる。
【発明の概要】
【発明が解決しようとする課題】
【０００８】
したがって、本発明は、前記のような従来技術の問題点を鑑み提案されたものとして、本発明の目的は、上衣固定部とクリップ部と装飾蓋部とで構成されて、上衣固定部は上衣の下端に固定され、クリップ部はズボンが固定され、装飾蓋部とクリップ部の間にベルトが固定され、下衣の外に上衣の下端が露出されないようにすることにある。
【０００９】
本発明の他の目的は、模様面材と折曲面材との間の角度を９０度から１００度の間で形成して、ベルトを模様面材と上側クリップ部との間に挿入したあとに模様面材を押すと、折曲面材が下側クリップ部の上面に接触しながら上側に移動され、上側クリップ部と下側クリップ部との間に挿入されたズボンが固定されると同時に、上側クリップ部と装飾蓋部の間に挿入されたベルトが固定されるようにすることにある。
【００１０】
本発明のまた他の目的は、装飾蓋部に模様が刻まれている模様面材を形成して、上衣のはみ出し防止機能だけでなく、装飾品としても活用できるようにすることにある。
【課題を解決するための手段】
【００１１】
本発明が、解決しようとする課題を達成するために、
本発明の一実施例によるクリップ型の上衣はみ出し防止装置は、
上衣（１０）に密着し、上衣がはみ出すことを防止する上衣固定面材（１１０）と、上衣固定面材といずれか一の面が接合され、他の面が下側クリップと接合され、人体に沿うように変形が可能な弾性材質で形成される弾性体面材（１２０）とを含んで構成される上衣固定部（１００）と、
上側クリップに形成されたクリップ突出部が挿入されるクリップホール（２１１）が各々形成された一対の支持片（２１２）が形成され、先端部分が曲がるように形成されている下側クリップ部（２１０）と、前記クリップホールに挿入されるように折曲形成されているクリップ突出部（２２１）が設けられ、装飾蓋部に形成された蓋部突出部が挿入される蓋部ホール（２２２）が一端側に各々形成される一方、先端部分が曲がるように形成されている上側クリップ部（２２０）とを含んで構成されるクリップ部（２００）と、
前記上側クリップ部の蓋部ホールに挿入されるように両側に形成されている蓋部突出部（３１０）と、外面に模様が刻まれている模様面材（３３０）と、前記模様面材に続いて折曲形成されている折曲面材（３２０）とを含んで構成される装飾蓋部（３００）とを含んで構成され、本発明の課題を解決するようになる。
【発明の効果】
【００１２】
以上の構成及び作用を有する本発明によるクリック型の上衣はみ出し防止装置は、上衣固定部とクリップ部と装飾蓋部とで構成され、上衣固定部は上衣下端に固定され、クリップ部はズボンに固定され、装飾蓋部とクリップとの間にベルトが固定されて、下衣の外に上衣の下端が露出しないようにすることで、着こなしをよくして、楽に着ることができる効果を提供する。
【００１３】
また、模様面材と折曲面材との間の角度が９０度から１００度の間で形成され、ベルトを模様面材と上側クリップとの間に挿入したあとに模様面材を押すと、折曲面材が下側クリップ部の上面に接触しながら上側に移動し、上側クリップ部と下側クリップ部との間に挿入されたズボンが固定されると同時に、上側クリップ部と装飾蓋部の間に挿入されたベルトが固定されることによって、ワンタッチ固定効果を提供する。
【００１４】
さらに、装飾蓋部に模様が刻まれている模様面材を形成して、上衣のはみ出し防止機能だけでなく、外側に露出される装飾蓋部に上品なデザインを施すと装飾品として活用することができる一層よい効果を提供して衣類文化を創出できるようになる。
【図面の簡単な説明】
【００１５】
【図１】本発明の一実施例によるクリップ型の上衣はみ出し防止装置の斜視図である。
【図２】本発明の別の一実施例によるクリップ型の上衣はみ出し防止装置の斜視図である。
【図３】本発明の一実施例によるクリップ型の上衣はみ出し防止装置の分解斜視図である。
【図４】本発明の一実施例によるクリップ型の上衣はみ出し防止装置の断面図である。
【図５】本発明の一実施例によるクリップ型の上衣はみ出し防止装置が衣類に付着された例を示した側面図である。
【図６】本発明の一実施例によるクリップ型の上衣はみ出し防止装置に装飾蓋部が装着され、衣類に付着された例を示した例示図である。
【図７】本発明の一実施例によるクリップ型の上衣はみ出し防止装置に装飾蓋部を押すか、又は引っ張る場合に折曲面材と下側クリップ部の間の角度を示した例示図である。
【発明を実施するための形態】
【００１６】
前記の課題を達成するための本発明の一実施例によるクリップ型の上衣はみ出し防止装置は、
上衣（１０）に密着し、上衣がはみ出すことを防止する上衣固定面材（１１０）と、上衣固定面材といずれか一つの面が接合され、他の面が下側クリップと接合され、人体に沿うように変形が可能な弾性材質で形成される弾性体面材（１２０）とを含んで構成される上衣固定部（１００）と、
上側クリップに形成されたクリップ突出部が挿入されるクリップホール（２１１）が各々形成された一対の支持片（２１２）が形成され、先端部分が曲がるように形成されている下側クリップ部（２１０）と、前記クリップホールに挿入されるように折曲形成されているクリップ突出部（２２１）が設けられ、装飾蓋部に形成された蓋部突出部が挿入される蓋部ホール（２２２）が一端側に各々形成される一方、先端部分が曲がるように形成されている上側クリップ部（２２０）とを含んで構成されるクリップ部（２００）と、
前記上側クリップ部の蓋部ホールに挿入されるよう両側に形成されている蓋部突出部（３１０）と、外面に模様が刻まれている模様面材（３３０）と、前記模様面材に続いて折曲形成されている折曲面材（３２０）とを含んで構成される装飾蓋部（３００）とを含んで構成されることを特徴とする。
【００１７】
ここで、前記上衣固定部に、装飾蓋部が連結されたクリップ部が少なくとも２つ以上設置されることを特徴とする。
【００１８】
ここで、前記下側クリップ部（２１０）と上側クリップ部（２２０）の間に、ズボン（２０）の一部が挿入されることを特徴とする。
【００１９】
ここで、前記装飾蓋部（３００）は、逆L字形状を有していて、内部にベルト（３０）が挿入されることを特徴とする。
【００２０】
ここで、前記装飾蓋部（３００）の、模様面材（３３０）と折曲面材（３２０）の間の角度（Ａ）が９０度から１００度の間に形成され、ベルト（３０）を模様面材と上側クリップ部の間に挿入したあとに模様面材を押すと、折曲面材が下側クリップ部の上面に接触しながら上側に移動し、上側クリップ部と下側クリップ部の間に挿入されたズボンが固定されると同時に、上側クリップ部と装飾蓋部との間に挿入されたベルト（３０）が固定されることを特徴とする。
【００２１】
また、本発明のクリップ型の上衣はみ出し防止装置は、上衣の下端に少なくとも一つ以上設けられることを特徴とする。
【００２２】
ここで、前記上衣固定面材（１１０）は、ゴム材質で形成されることを特徴とする。
【００２３】
以下、本発明によるクリップ型の上衣はみ出し防止装置の実施例を通して詳しく説明する。
【００２４】
図１は、本発明の一実施例によるクリップ型の上衣はみ出し防止装置の斜視図である。
【００２５】
図２は、本発明の他の一実施例によるクリップ型の上衣はみ出し防止装置の斜視図である。
【００２６】
図３は、本発明の一実施例によるクリップ型の上衣はみ出し防止装置の分解斜視図である。
【００２７】
図４は、本発明の一実施例によるクリップ型の上衣はみ出し防止装置の断面図であす。
【００２８】
図１乃至図４に図示したように、本発明のクリップ型の上衣はみ出し防止装置は、上衣（１０）に密着され上衣がはみ出すことを防止する上衣固定面材（１１０）と、上衣固定面材といずれか一つの面が接合され、他の面が下側クリップと接合され、人体に沿うよう変形が可能な弾性材質で形成される弾性体面材（１２０）とを含んで構成される上衣固定部（１００）と、
上側クリップに形成されたクリップ突出部が挿入されるクリップホール（２１１）が各々形成されている一対の支持片（２１２）が形成され、先端部分が曲がるように形成されている下側クリップ部（２１０）と、前記クリップホールに挿入されるように折曲形成されているクリップ突出部（２２１）が設けられ、装飾蓋部に形成された蓋部突出部が挿入される蓋部ホール（２２２）が一端側に各々形成される一方、先端部分が曲がるように形成されている上側クリップ部（２２０）とを含んで構成されるクリップ部（２００）と、
前記上側クリップ部の蓋部ホールに挿入されるように両側に形成されている蓋部突出部（３１０）と、外面に模様が刻まれている模様面材（３３０）と、前記模様面材と続いて折曲形成されている折曲面材（３２０）とを含んで構成される装飾蓋部（３００）とを含んで構成される。
【００２９】
前記上衣固定部（１００）は、上衣（１０）に密着し、上衣がはみ出すことを防止する上衣固定面材（１１０）と、上衣固定面材といずれか一つの面が結着され他の面が下側クリップと結着され、人体に沿うように変形が可能な弾性材質で形成される弾性体面材（１２０）とを含んで構成される。
【００３０】
ここで、上衣固定面材（１１０）は、上衣に密着し、上衣がはみ出すことを防止するために滑り防止が可能なゴム材質で形成されることを特徴とする。
【００３１】
つまり、密着力が強いゴム材質で形成され、上衣が上側にはみ出さないようにすると同時に、接触する腰部位に圧迫を加えないようにする効果も提供するようになる。
【００３２】
また、弾性体面材（１２０）は、上衣固定面材といずれか一の面が接合され、他の面が下側クリップと接合され、人体の屈曲に合うように変形が可能な弾性材質で形成される。
【００３３】
ここで、接合するための接合手段としては、好ましくは接着剤、リベットのうちいずれか一つが使用され、前記の例以外にいかなる接合手段において制限も設けない。
【００３４】
前記のように固定部を構成すると、上衣の下端を固定できるようになり、下衣の外側に上衣の下端が露出されないようになる。
【００３５】
一方、前記クリップ部（２００）は、上側クリップに形成されたクリップ突出部が挿入されるクリップホール（２１１）が各々形成されている一対の支持片（２１２）が形成され、先端部分が曲がるように形成されている下側クリップ部（２１０）と、前記クリップホールに挿入されるように折曲形成されているクリップ突出部（２２１）が設けられ、装飾蓋部に形成された蓋部突出部が挿入される蓋部ホール（２２２）が一端側に各々形成される一方、先端部分が曲がるように形成されている上側クリップ部（２２０）とを含んで構成される。
【００３６】
つまり、下側クリップ部（２１０）の両側部には、上側クリップの両側部に形成されたクリップ突出部が挿入されるクリップホール（２１１）が各々形成された一対の支持片（２１２）が形成されている。
【００３７】
また、下側クリップ部の先端部分は、曲がるように形成されている。
【００３８】
そして、前記上側クリップ部（２２０）は、クリップホールに挿入されるように内側に折曲形成されたクリップ突出部（２２１）が両側面に各々設けられ、装飾蓋部に形成された各々の蓋部突出部が挿入される蓋部ホール（２２２）が一端側に各々形成されていると共に、先端部分が曲がるように形成されている。
【００３９】
ここで、前記下側クリップ部と上側クリップ部の曲がった部位が互いにズボンに接触するようになり、ズボン（２０）にクリップ型の上衣はみ出し防止装置が固定される。
【００４０】
一方、前記装飾蓋部（３００）は、上側クリップ部の蓋部ホールに挿入されるように両側に形成されている蓋部突出部（３１０）と、外面に模様が刻まれている模様面材（３３０）と、前記模様面材に続いて折曲形成されている折曲面材（３２０）とを含んで構成されている。
【００４１】
つまり、蓋部突出部（３１０）が、上側クリップ部の蓋部ホールに挿入されるように折曲面材（３２０）の両側に形成されている。
【００４２】
また、装飾蓋部は、模様面材に続いて折れ曲がっている折曲面材が形成され、逆L字形状を有している。
【００４３】
前記模様面材の外面には、各種の模様が刻まれていて、前記模様面材を押すと折曲面材の先端が下側クリップ部に接触するようになる。
【００４４】
そして、前記模様面材に装飾模様を形成され、例えば花模様、各種のデザイン模様などが形成され装飾品として活用できる効果を提供して衣類文化が創出できるようになる。
【００４５】
一方、図２に図示したように、上衣固定部（１００）に、装飾蓋部が連結されたクリップ部を少なくとも２つ以上設置することもできる。
【００４６】
つまり、上衣固定部に、装飾蓋部が設けられたクリップ部を一定間隔で２つ以上設置し、このような場合には上衣がはみ出すことを、一つの場合よりもさらに難くすることができる。
【００４７】
例えば、クリップ部が一つ構成される上衣固定部の長さより、上衣固定部の長さをさらに長くすると、一つよりもはみ出し防止機能を一層強化できるようになり、クリップ部が一つであれば上衣固定部が捩れるかズボン（２０）の外側にはみ出すことがあり得るので、一つよりもさらに長い上衣固定部に一定間隔の距離をおいて装飾蓋部が連結されたクリップ部を複数個、設置する。
【００４８】
本発明の例示は、上衣固定部に２個の装飾蓋部が連結されているクリップ部を構成しているが、３個、４個など２個以上で構成することもできる。
【００４９】
図５は、本発明の一実施例によるクリップ型の上衣はみ出し防止装置が衣類に取り付けられた例を示した側面図である。
【００５０】
図６は、本発明の一実施例によるクリップ型の上衣はみ出し防止装置に装飾蓋部が装着され、衣類に取り付けられた例を示した例示図である。
【００５１】
図５に図示したように、上衣を下衣に挿入した後、腰部位に固定部の弾性体面材を位置させて、ズボン（２０）の腰部位をクリップ部に挿入して、ベルトを模様面材と上側クリップ部の間に挿入した後模様面材を押すと、折曲面材が下側クリップ部の上面に接触しながら上側に（胴体方向）移動し、上側クリップ部と下側クリップ部の間に挿入されたズボン（２０）が固定されると同時に、上側クリップ部と装飾蓋部の間に挿入されたベルト（３０）が固定されるようになる。
【００５２】
つまり、ワンタッチ式の固定クリップ作用をするもので、反対に装飾蓋部の模様面材を引っ張るとベルト（３０）と模様面材が離れるようになり、続けて引っ張るとクリップ部が解除されクリップ部の上側クリップ部がズボン（２０）と離れるようになって、クリップ型の上衣はみ出し防止装置をズボン（２０）から離脱させることができるようになる。
【００５３】
また、前記装飾蓋部は四角形、五角形、円形、菱形、三角形の部材に各種の模様をデザインするものである。
【００５４】
このために、模様面材（３３０）と折曲面材（３２０）の間の角度（Ａ）が９０度から１００度の間で形成され、模様面材を上側クリップ部の方向へ連続的に押すと折曲面材の先端部分が上側に（胴体方向）移動し、図７に図示したように、９０度より小さい角度（Ｂ）を形成するようになり、手で引っ張る前までは絶対にズボン（２０）とベルト（３０）がはみ出し防止装置の外部に露出されないようになる。
【００５５】
一方、前記下側クリップ部（２１０）と上側クリップ部の間にバネ或いは弾性部材を挿入して、装飾蓋部（３００）を引っ張ると、上側クリップ部と下側クリップ部の間がバネ或いは弾性部材の作用によって広がるようになりクリップ部をズボン（２０）から容易に離脱するようになる。
【００５６】
また、腰の両側にそれぞれ固定装置を設け、必要によって２つ以上が固定され、上衣がはみ出すことを防止することができる。
【００５７】
一方、図６は他の実施例によるクリップ部が２つ設けられた固定装置を上衣に固定できる例と、一実施例によるクリップ部が１つ設けられた固定装置を上衣に固定できる例を挙げたものである。
【００５８】
特に、ズボンの横に上衣がはみ出すことを固定する役割をするものである。
【００５９】
前記のような構成及び動作を通じて、上衣固定部とクリップ部と装飾蓋部とで構成され、上衣固定部は上衣の下端に固定され、クリップ部はズボンが固定されて、装飾蓋部とクリップ部の間にベルト（３０）が固定され、下衣の外側に上衣の下端が露出されないようにすることによって、着こなしをよくして楽に着ることができる効果を提供する。
【００６０】
また、模様面材と折曲面材の間の角度を９０度から１００度の間で形成して、ベルト（３０）を模様面材と上側クリップ部の間に挿入したあとに模様面材を押すと、折曲面材が下側クリップ部の上面に接触しながら上側に移動し、上側クリップ部と下側クリップ部の間に挿入されたズボンが固定されると同時に、上側クリップ部と装飾蓋部の間に挿入されたベルトが固定されるようにすることで、ワンタッチ固定効果を提供する。
【００６１】
以上のような内容の本発明が属する技術分野における当業者は、本発明の技術的な思想や必須の特徴を変更せず、他の具体的な形態で実施され得ることが理解できるものである。よって、以上で記述した実施例は全ての面において例示されたものであり、限定的なものではないと理解されなければならない。
【００６２】
本発明の範囲は、前記詳細な説明よりは後述する特許請求の範囲によって示され、特許請求の範囲の意味及び範囲、並びにその等価概念から導き出される全ての変更或いは変形された形態が本発明の範囲に含まれるものとして解釈されなければならない。
【図１】
2015503039.tif 000003
【図２】
2015503039.tif 000004
【図３】
2015503039.tif 000005
【図４】
2015503039.tif 000006
【図５】
2015503039.tif 000007
【図６】
2015503039.tif 000008
【図７】
2015503039.tif 000009
【国際調査報告】
2015503039.tif 000010
2015503039.tif 000011
2015503039.tif 000012
2015503039.tif 000013